(57)【特許請求の範囲】
【請求項１】
誤飲による窒息防止のための空気流通路を備えた筆記具等のキャップであって、外キャップの天部を山形に形成するとともにその中心部に開口孔を形成し、かつ外キャップの下端を開口して構成し、更に外キャップの内面に内鍔を構成し、内キャップの天部に一部が切り欠かれた突部を形成するとともに、内キャップの表面に前端が傾斜され後端が垂直に構成された外鍔を形成し、前記外キャップの内鍔か内キャップの外鍔の少なくともどちらか一方に切欠部を形成し、内キャップを前記外キャップの下端より挿入して内キャップの突部を外キャップの天部内面に当接するとともに、内キャップの外鍔が外キャップの内鍔を通過して係止され、更に内キャップの外面と外キャップの内面とに適宜の隙間を形成することにより、外キャップの開口した下端から流入した空気が、内キャップと外キャップの隙間を流通し、次に外キャップの内鍔か内キャップの外鍔のいずれかに形成された切欠部を空気が流通し、更に内キャップの突部に形成された切欠部を流通した空気が外キャップの天部に形成された開口孔より流出して空気通路を形成し、尚かつ、前記内キャップの下端部が筆記具等の先端部に嵌合されて密閉されることを特徴とする筆記具等のキャップ。
【発明の詳細な説明】
【０００１】
【発明の属する技術分野】
本発明は、筆記具等のキャップに関するものである。更に詳細には、誤飲による窒息防止のための空気通路を備えた化粧具、修正具、のり、塗布具或いは筆記具等のキャップに関する。
【０００２】
【従来の技術】
従来この種のキャップにおいては、例えば、開放した前端及び後端を構成する外シェル部材と、開放前端及び閉鎖後端を有するペン先シール部材とを有し、ペン先シール部材の閉鎖後端の周りに配置された複数の歯を有し、これらの歯は、シェル部材の開放した後端に固定されたフランジを通して挿入され、ペン先部材をこれらの歯とリブとの間でフランジに係止して位置決めされ、前記外シェル部材とペン先シール部材とは、ペン先シール部材の外面とシェル部材の内面との間を長さ方向に延びて外シェル部材の前端と後端との間で空気を流すための複数の通路を構成する複数のリブによって互いから分離されて構成されたものが、特許出願公表平５−５００９３２号公報に開示されている。
【０００３】
【発明が解決しようとする課題】
前記従来のキャップは、確かに、幼児が誤って飲み込んでも、空気流通路が確保され窒息事故を防ぐことはできる。しかし、外シェル部材の後端とペン先シール部材の閉鎖後端との間からリブが露出しているために外観が損なわれてしまうものであった。
【０００４】
本発明は、上記課題を解消する筆記具等のキャップを提供することを目的とするものである。
【０００５】
【課題を解決するための手段】
本発明は、誤飲による窒息防止のための空気流通路を備えた筆記具等のキャップであって、外キャップの天部を山形に形成するとともにその中心部に開口孔を形成し、かつ外キャップの下端を開口して構成し、更に外キャップの内面に内鍔を構成し、内キャップの天部に一部が切り欠かれた突部を形成するとともに、内キャップの表面に前端が傾斜され後端が垂直に構成された外鍔を形成し、前記外キャップの内鍔か内キャップの外鍔の少なくともどちらか一方に切欠部を形成し、内キャップを前記外キャップの下端より挿入して内キャップの突部を外キャップの天部内面に当接するとともに、内キャップの外鍔が外キャップの内鍔を通過して係止され、更に内キャップの外面と外キャップの内面とに適宜の隙間を形成することにより、外キャップの開口した下端から流入した空気が、内キャップと外キャップの隙間を流通し、次に外キャップの内鍔か内キャップの外鍔のいずれかに形成された切欠部を空気が流通し、更に内キャップの突部に形成された切欠部を流通した空気が外キャップの天部に形成された開口孔より流出して空気通路を形成し、尚かつ、前記内キャップの下端部が筆記具等の先端部に嵌合されて密閉されるものである。
【０００６】
【実施例】
以下、図１、図２、図３、図４、図５、図６、図７及び図８に基づいて本発明の筆記具等のキャップを説明する。尚、筆記具としては、ゲル形成物質、着色剤及び溶剤として水を多く含んだ固形状描画材を繰り出すもので説明する。
【０００７】
有底の軸筒１の内面に長手方向に伸びたリブ１Ａを等間隔に複数形成し、該リブ１Ａの前部に内段１Ｂを形成する。
【０００８】
摺動部材２は、前部に固形状描画材３の保持具４を固定するための固定部２Ａが形成され、摺動部材２の後部には長手方向に伸びた雄ねじ部２Ｂが形成される。該雄ねじ部２Ｂは円形の両側をカットしたような小判形の断面形状に構成されている。更に、雄ねじ部２Ｂの後端には突起２Ｃが形成される。
【０００９】
また、中ねじ部材５は、中心に雌ねじ部５Ａが形成されるとともに、両側に切欠部５Ｂが形成されかつ一方の切欠部５Ｂは雌ねじ部５Ａに連通して構成される。
【００１０】
内軸６の前部外周には前部凹溝６Ａが形成され、内軸６の後部外周には後部突起６Ｂが形成される。更に、内軸６の内面には内鍔６Ｃが形成され、内鍔６Ｃの中心部に形成された孔６Ｄの断面形状は円形の両側をカットしたような小判形に形成される。また、内軸６の前部外周には指で保持した時の滑り止めの為に長手方向に伸びた隆起部６Ｅが等間隔に複数形成する。
【００１１】
そして、摺動部材２の雄ねじ部２Ｂを前記内軸６の前方より内鍔６Ｃの孔６Ｄに挿通させる。この時、小判形の雄ねじ部２Ｂが内軸６の小判形の孔６Ｄに係合しているために、内軸６と摺動部材２は長手方向には摺動可能であるが回動は不能に構成される。
【００１２】
更に、摺動部材２の雄ねじ部２Ｂに前記中ねじ部材５を側方より取り付ける。
この時、中ねじ部材５は一方の切欠部５Ｂが雌ねじ部５Ａに連通して構成されているために拡開するので簡単に取り付けることができる。また、摺動部材２の雄ねじ部２Ｂに中ねじ部材５の雌ねじ部５Ａが螺合され、中ねじ部材５は回動されることにより摺動部材２の雄ねじ部２Ｂを前後に移動する。更に、摺動部材２の後端に突起２Ｃが形成されているので、摺動部材２が前方に移動しても突起２Ｃによって停止され中ねじ部材５の雌ねじ部５Ａより外れる恐れはない。
【００１３】
上記構成の摺動部材２及び中ねじ部材５は軸筒１内に内蔵され、軸筒１のリブ１Ａに形成された内段１Ｂに中ねじ部材５の後端が接触する。また、中ねじ部材５の外面に形成された突起５Ｃが軸筒１の前リブ１Ｃに係合され、軸筒１と中ねじ部材５は回動不能に構成される。
【００１４】
更に軸筒１の凹溝１Ｄに前記内軸６の後部突起６Ｂを嵌め込み、軸筒１に内軸６を回動自在に取り付ける。また、中ねじ部材５は軸筒１の内段１Ｂと内軸６の後端の間に配置される。
【００１５】
しかも、中ねじ部材５は雌ねじ部５Ａに連通した切欠部５Ｂが形成されて拡開可能となっているので、摺動部材２が前進して突起２Ｃが中ねじ部材５の後端に当接された場合や、摺動部材２が後退して非ねじ部２Ｄが内軸６の内鍔６Ｃに当接された場合に、更に内軸６を回転しつづけても中ねじ部材５が拡開して空転し摺動部材２や中ねじ部材５を破損する恐れは全くない。
【００１６】
固形状描画材３の後部にゴム製の保持具４を取り付け、この保持具４の後部を摺動部材２の固定部２Ａに着脱可能に嵌合する。この嵌合手段としては、保持具４の内方突起４Ａが摺動部材２の固定部２Ａに形成された凹溝２Ｅに嵌め込まれて嵌合される。
【００１７】
固形状描画材３は描画を行うことにより消耗するが、この場合には、内軸６を保持して軸筒１を正回転すると、軸筒１とともに中ねじ部材５も正回転する。しかし、摺動部材２は内軸６と回動不能に構成されているために回転できず、中ねじ部材５が正回転すると摺動部材２が前進する。従って、固形状描画材３は摺動部材２とともに前進し消耗した量だけ繰り出される。
【００１８】
また、固形状描画材３が消耗した場合には、内軸６の先端より突出した保持具４を外し、固形状描画材３が装着された新たな保持具４を摺動部材２の固定部２Ａに嵌合する。
【００１９】
この固形状描画材３としては、現在、種々のものが使用されているが、ゲル形成物質、着色剤及び溶剤として水を多く含んだものが描画性が優れており好ましい。
【００２０】
ただし、溶剤として水を多く含んだものは乾燥を防止しなければならず、固形状描画材３を密閉するためのキャップが必要となる。
【００２１】
外キャップ７は天部７Ａを山形に形成し、その中心部に開口孔７Ｂを形成する。また、外キャップ７の下端７Ｃを開口して形成する。更に、外キャップ７の天部７Ａ近傍の内面に内鍔７Ｄを構成する。
【００２２】
また、内キャップ８は密閉された天部８Ａと開口した下端８Ｂより構成され、内キャップ８の天部８Ａに切欠部８Ｃを有する突部８Ｄを形成するとともに、内キャップ８の表面に外鍔８Ｅを形成する。この内キャップ８の外鍔８Ｅには対向した位置に切欠部８Ｆが形成される。更に、内キャップ８の外周面には長手方向に伸びたリブ８Ｇが等間隔に複数形成される。
【００２３】
この内キャップ８を外キャップ７の下端７Ｃより挿入し、内キャップ８の天部８Ａに形成した突部８Ｄを外キャップ７の天部７Ａ内面に当接する。同時に内キャップ８の外鍔８Ｅを外キャップ７の内鍔７Ｄに通過して係止する。また、内キャップ８の外周面と外キャップ７の内面とに適宜の隙間を形成するとともに、内キャップ８のリブ８Ｇが外キャップ７の内面と接触して内キャップ８の傾きを防止する。
【００２４】
従って、上記キャップにおいては、幼児が誤って飲み込んだ場合でも、外キャップ７の開口した下端７Ｃから流入した空気は、外キャップ７の内面と内キャップ８の外周面の隙間を流通し、次に内キャップ８の外鍔８Ｅに形成された切欠部８Ｆを流通し、更に内キャップ８の突部８Ｄに形成された切欠部８Ｃを流通して外キャップ７の天部７Ａに形成された開口孔７Ｂより流出し、空気通路を形成する。
【００２５】
上記構成の外キャップ７は、外キャップ７の下端７Ｃ近傍の内面に形成された突起７Ｅが内軸６の前部凹溝６Ａに嵌合され、着脱可能に取り付けられる。この時、内軸６の先端部６Ｆが内キャップ８の下端部に嵌合されて密閉され、固形状描画材３は乾燥が防止される。
【００２６】
図９、図１０及び図１１は本発明の他の実施例を示したものである。
【００２７】
外キャップ１７は天部１７Ａを山形に形成し、その中心部に開口孔１７Ｂを形成する。また、外キャップ１７の下端１７Ｃを開口して形成する。更に、外キャップ１７の天部１７Ａ近傍の内面に内鍔１７Ｄを構成し、該内鍔１７Ｄは対向した位置に切欠部１７Ｆが形成される。更に、外キャップ１７の内面に長手方向に伸びたリブ１７Ｇを等間隔に複数形成する。
【００２８】
この外キャップ１７の下端１７Ｃより内キャップ１８を挿入し、内キャップ１８の天部１８Ａに形成した突部１８Ｄを外キャップ１７の天部１７Ａ内面に当接する。同時に、内キャップ１８の外鍔１８Ｅを外キャップ１７の内鍔１７Ｄに通過して係止する。尚、外キャップ１７の内面と内キャップ１８の外鍔１８Ｅとの間には隙間が構成される。更に、内キャップ１８の外周面と外キャップ１７の内面とに適宜の隙間を形成するとともに、外キャップ１７のリブ１７Ｇが内キャップ１８の外周面と接触して内キャップ１８の傾きを防止する。
【００２９】
従って、上記キャップにおいては、幼児が誤って飲み込んだ場合でも、外キャップ１７の開口した下端１７Ｃから流入した空気は、外キャップ１７の内面と内キャップ１８の外周面の隙間を流通し、次に外キャップ１７の内鍔１７Ｄに形成された切欠部１７Ｆを流通し、更に内キャップ１８の突部１８Ｄに形成された切欠部１８Ｃを流通して外キャップ１７の天部１７Ａに形成された開口孔１７Ｂより流出し、空気通路を形成する。
【００３０】
尚、キャップ形状は上記実施例に限定されるものではなく、図１２及び図１３に示したように、外キャップ２７の側面に開口窓２７Ｈを対向させて形成するとともに、内キャップ２８を透明に構成し、固形状描画材の色を外部より直視するように構成することも可能である。
【００３１】
尚、本発明は、固形状描画材に限定されるものではなく、棒状体としては、固形のり、口紅等の化粧具、固形修正具等種々のものが利用可能であるし、筆記具としては、サインペン、ボールペンといったキャップを用いる種々の筆記具に利用可能である。
【００３２】
【発明の効果】
以上説明した本発明の筆記具等のキャップは、幼児が誤って飲み込んでも窒息する心配がなく、しかも、外キャップの天部が山形に形成され、その中心部に開口孔を形成したために、外キャップの天部によって内キャップが覆われており、外観を損なう恐れが全く生じない効果が奏せられるものである。
【図面の簡単な説明】
【図１】  本発明の筆記具等のキャップを示す断面図である。
【図２】  図１のＡ−Ａ線を示す断面図である。
【図３】  図１のＢ−Ｂ線を示す断面図である。
【図４】  図１のＣ−Ｃ線を示す断面図である。
【図５】  本発明のキャップを用いた筆記具を示す断面図である。
【図６】  図５のＡ−Ａ線を示す断面図である。
【図７】  図５のＢ−Ｂ線を示す断面図である。
【図８】  図５のＣ−Ｃ線を示す断面図である。
【図９】  本発明の筆記具等のキャップにおける他の実施例を示す断面図である。
【図１０】  図９のＡ−Ａ線を示す断面図である。
【図１１】  図９のＢ−Ｂ線を示す断面図である。
【図１２】  本発明の筆記具等のキャップにおける更に他の実施例を示す断面図である。
【図１３】  図１２のＡ−Ａ線を示す断面図である。
【符号の説明】
７  外キャップ
７Ａ  外キャップ７の天部
７Ｂ  外キャップ７の開口孔
７Ｃ  外キャップ７の下端
７Ｄ  外キャップ７の内鍔
８  内キャップ
８Ａ  内キャップ８の天部
８Ｃ  内キャップ８の切欠部
８Ｄ  内キャップ８の突部
８Ｅ  内キャップ８の外鍔
１７  外キャップ
１７Ａ  外キャップ１７の天部
１７Ｂ  外キャップ１７の開口孔
１７Ｃ  外キャップ１７の下端
１７Ｄ  外キャップ１７の内鍔
１８  内キャップ
１８Ａ  内キャップ１８の天部
１８Ｃ  内キャップ１８の切欠部
１８Ｄ  内キャップ１８の突部
１８Ｅ  内キャップ１８の外鍔
２７  外キャップ
２８  内キャップ
【図１】
0004625570.tif 000002
【図２】
0004625570.tif 000003
【図３】
0004625570.tif 000004
【図４】
0004625570.tif 000005
【図５】
0004625570.tif 000006
【図６】
0004625570.tif 000007
【図７】
0004625570.tif 000008
【図８】
0004625570.tif 000009
【図９】
0004625570.tif 000010
【図１０】
0004625570.tif 000011
【図１１】
0004625570.tif 000012
【図１２】
0004625570.tif 000013
【図１３】
0004625570.tif 000014